(57)【要約】【目的】ロック装置の構成の簡素化、コスト削減、操作性の向上。【構成】シート１の背凭シート３の側部に、横方向のカラー１０によりアームレスト４を回動自在に設け、前記カラー１０と前記アームレスト４のアームレストフレーム８の間には、アームレスト４の使用範囲Ａではアームレスト４の下方回動はロックし且つ上方回動のみ自在にして高さ調節可能にし、前記使用範囲Ａの上限位置と同じかそれより越えた位置の所定の格納範囲Ｂではアンロック状態になって上下回動自在とし、前記格納範囲Ｂから前記使用範囲Ａの最下方位置まで下方回動させると、下方回動のロック可能状態に復帰させるロック装置Ｌを設けたアームレスト。【選択図】    図２
2004208721.tif 000002
【特許請求の範囲】
【請求項１】
シート１の背凭シート３の側部に、横方向のカラー１０の外周にロックスプリング１１のコイル部１２を嵌合させ、コイル部１２とカラー１０との摩擦により高さ調節自在にするロック装置Ｌを設けたアームレストにおいて、ロック装置Ｌは、コイル部１２の一端の固定側端部１５は背凭ブラケット６側に固定し、コイル部１２の他端である自由端２０は背凭ブラケット６側に設けた切替カム溝２４に継脱自在とし、切替カム溝２４はコイル部１２の直径を変化させずにアンロック状態とするアンロック用カム面２２および該アンロック用カム面２２に自由端２０を案内する案内カム面２３を夫々形成し、前記カラー１０には、自由端２０の移動を停止させて切替カム溝２４に嵌合させるアンロック用当接部３２と、アンロック用カム面２２に当接している自由端２０を軸方向に移動させて切替カム溝２４より離脱させるアンロック解除部３７との夫々を設けた当接部材３０を設けて構成したアームレストの高さ調節装置。
【請求項２】
シート１の背凭シート３の側部に、横方向のシャフト７によりアームレスト４を回動自在に設け、前記シャフト７の外周に設けたカラー１０を前記アームレスト４のアームレストフレーム８に固定し、カラー１０と背凭シート３の背凭ブラケット６との間には、アームレスト４の使用範囲Ａではアームレスト４の下方回動はロックし且つ上方回動のみ自在にして高さ調節可能にし、前記使用範囲Ａの上限位置と同じかそれより越えた位置の所定の格納範囲Ｂではアンロック状態になって上下回動自在とし、前記格納範囲Ｂから前記使用範囲Ａの最下方位置まで下方回動させると、下方回動のロック可能状態に復帰させるロック装置Ｌを設け、該ロック装置Ｌは、前記カラー１０の外周にロックスプリング１１の巻き方向をアームレスト４を下方回動させると直径が小になるようにしたコイル部１２を嵌合させ、コイル部１２の一端である固定側端部１５は背凭ブラケット６側に形成し、コイル部１２の他端である自由端２０は背凭ブラケット６側に設けた切替カム溝２４に継脱自在とし、自由端２０が切替カム溝２４に嵌合するとコイル部１２の直径を変化させずにアンロック状態とし、切替カム溝２４から離脱すると、前記コイル部１２の径を小さくしてロック状態とするように構成し、前記切替カム溝２４は背凭ブラケット６側にカラー１０の軸心方向と略平行の略Ｕ型形状に形成し、切替カム溝２４には、前記自由端２０が弾力的に当接して係合するアンロック用カム面２２および該アンロック用カム面２２に自由端２０が弾力的に当接するように切替カム溝２４に案内する案内カム面２３を夫々形成し、案内カム面２３の先端とアンロック用カム面２２の外端縁との間には自由端２０が通り抜け可能な隙間２６を設け、前記カラー１０には、自由端２０をコイル部１２の径拡大方向に移動させて切替カム溝２４に嵌合させるアンロック用当接部３２と、アンロック用カム面２２に弾力的に当接している自由端２０を軸方向に移動させて切替カム溝２４より離脱させるアンロック解除部３７との夫々を設けた当接部材３０を設けて構成したアームレストの高さ調節装置。
【請求項３】
請求項１または請求項２において、前記アンロック用カム面２２は切替カム溝２４内のアームレスト４の下方回動方向側にカラー１０の軸心方向と略平行な面形状に形成し、前記案内カム面２３はアームレスト４の上方回動方向側の切替カム溝２４に先端に至るに従い切替カム溝２４の開口方向側であってアンロック用カム面２２に近づくように傾斜させて形成したアームレストの高さ調節装置。
【請求項４】
請求項１または請求項２または請求項３において、前記当接部材３０のアンロック用当接部３２の後側の周縁は、アンロック用当接部３２の端縁と同一面のアンロック保持面３３に形成し、アンロック保持面３３に続く板部材３１の後側周縁には交差方向の外れ防止面３４を設けたアームレストの高さ調節装置。
【発明の詳細な説明】
【０００１】
【産業上の利用分野】
本発明は、アームレストの高さ調節装置に係るものである。
【０００２】
【従来技術】
従来、背凭シートの側部に設けたアームレストの高さ調節を、コイルバネの摩擦を利用して行うものは公知である。（特許文献１）。
また、従来公知ではないが、同一出願人に係る先願の特願２００２−１０９７１０号には、シャフトの外周に嵌合するコイル部および常にアームレストと一体回動する移動端部およびアームレストの一体移動用嵌合溝に継脱する自由端とにより構成したロックスプリングと、前記シャフト側に設けた自由端を一体移動用嵌合溝に係合させるアンロック用作動部材および一体移動用嵌合溝に係合した自由端を離脱させるアンロック解除部を設けた構成について提案されている。
【０００３】
【特許文献１】
実開平５−５３５４７号公報（第２−３頁、図１、図３参照）
【０００４】
【発明が解決しようとする課題】
前記実開平５−５３５４７号公報の公知例では、コイルバネを用いたロック装置を設けているが、ロック装置のロックを解除するに際し、つまみやレバー等の手動操作部材を設けており、部品点数が増えて構成が複雑となるばかりでなく、アームレストの外観を良好にするための加工を必要とし、コストを上昇させるという課題がある。
また、先願のものは、自由端を一体移動用嵌合溝に継脱させる構成が複雑となるばかりでなく、アームレストの外観を良好にするための加工を必要とし、コストを上昇させるという課題がある。
本願はこの点に関して工夫し、ロック装置を直接操作する操作部材を省略しながら操作を簡単にし、また、部品の構成を簡素にしたアームレストのロック装置を提供するものである。
【０００５】
【発明の目的】
ロック装置の構成の簡素化、コスト削減、操作性の向上。
【０００６】
【課題を解決するための手段】
本発明は、シート１の背凭シート３の側部に、横方向のカラー１０の外周にロックスプリング１１のコイル部１２を嵌合させ、コイル部１２とカラー１０との摩擦により高さ調節自在にするロック装置Ｌを設けたアームレストにおいて、ロック装置Ｌは、コイル部１２の一端の固定側端部１５は背凭ブラケット６側に固定し、コイル部１２の他端である自由端２０は背凭ブラケット６側に設けた切替カム溝２４に継脱自在とし、切替カム溝２４はコイル部１２の直径を変化させずにアンロック状態とするアンロック用カム面２２および該アンロック用カム面２２に自由端２０を案内する案内カム面２３を夫々形成し、前記カラー１０には、自由端２０の移動を停止させて切替カム溝２４に嵌合させるアンロック用当接部３２と、アンロック用カム面２２に当接している自由端２０を軸方向に移動させて切替カム溝２４より離脱させるアンロック解除部３７との夫々を設けた当接部材３０を設けて構成したアームレストの高さ調節装置としたものである。
本発明は、シート１の背凭シート３の側部に、横方向のシャフト７によりアームレスト４を回動自在に設け、前記シャフト７の外周に設けたカラー１０を前記アームレスト４のアームレストフレーム８に固定し、カラー１０と背凭シート３の背凭ブラケット６との間には、アームレスト４の使用範囲Ａではアームレスト４の下方回動はロックし且つ上方回動のみ自在にして高さ調節可能にし、前記使用範囲Ａの上限位置と同じかそれより越えた位置の所定の格納範囲Ｂではアンロック状態になって上下回動自在とし、前記格納範囲Ｂから前記使用範囲Ａの最下方位置まで下方回動させると、下方回動のロック可能状態に復帰させるロック装置Ｌを設け、該ロック装置Ｌは、前記カラー１０の外周にロックスプリング１１の巻き方向をアームレスト４を下方回動させると直径が小になるようにしたコイル部１２を嵌合させ、コイル部１２の一端である固定側端部１５は背凭ブラケット６側に形成し、コイル部１２の他端である自由端２０は背凭ブラケット６側に設けた切替カム溝２４に継脱自在とし、自由端２０が切替カム溝２４に嵌合するとコイル部１２の直径を変化させずにアンロック状態とし、切替カム溝２４から離脱すると、前記コイル部１２の径を小さくしてロック状態とするように構成し、前記切替カム溝２４は背凭ブラケット６側にカラー１０の軸心方向と略平行の略Ｕ型形状に形成し、切替カム溝２４には、前記自由端２０が弾力的に当接して係合するアンロック用カム面２２および該アンロック用カム面２２に自由端２０が弾力的に当接するように切替カム溝２４に案内する案内カム面２３を夫々形成し、案内カム面２３の先端とアンロック用カム面２２の外端縁との間には自由端２０が通り抜け可能な隙間２６を設け、前記カラー１０には、自由端２０をコイル部１２の径拡大方向に移動させて切替カム溝２４に嵌合させるアンロック用当接部３２と、アンロック用カム面２２に弾力的に当接している自由端２０を軸方向に移動させて切替カム溝２４より離脱させるアンロック解除部３７との夫々を設けた当接部材３０を設けて構成したアームレストの高さ調節装置としたものである。
本発明は、前記アンロック用カム面２２は切替カム溝２４内のアームレスト４の下方回動方向側にカラー１０の軸心方向と略平行な面形状に形成し、前記案内カム面２３はアームレスト４の上方回動方向側の切替カム溝２４に先端に至るに従い切替カム溝２４の開口方向側であってアンロック用カム面２２に近づくように傾斜させて形成したアームレストの高さ調節装置としたものである。
本発明は、前記当接部材３０のアンロック用当接部３２の後側の周縁は、アンロック用当接部３２の端縁と同一面のアンロック保持面３３に形成し、アンロック保持面３３に続く板部材３１の後側周縁には交差方向の外れ防止面３４を設けたアームレストの高さ調節装置としたものである。
【０００７】
【実施例】
本発明の実施例を図面により説明すると、１は車両用等のシート、２は座席シート、３は座席シート２に傾斜角度調節自在に設けた背凭シート、４は背凭シート３の側部に設けたアームレストである。
前記アームレスト４は、背凭シート３の背凭骨格フレーム５の側部に設けた背凭ブラケット６に、左右方向のシャフト７を軸心として上下回動自在に取付け、シャフト７と背凭骨格フレーム５の取付け構成は任意である。
【０００８】
アームレスト４は、そのアームレストフレーム８の基部と背凭ブラケット６との間にロック装置Ｌを設ける。ロック装置Ｌは、アームレスト４として本来使用される使用範囲Ａではアームレスト４の下方回動をロックして荷重を支受し、且つ、上方回動のみ自在にして高さ調節可能にし、使用範囲Ａの上限位置と同じかそれより間隔を置いて設けた格納範囲Ｂではアンロック状態になって上下回動自在とし、格納範囲Ｂから使用範囲Ａの最下方位置まで一旦下方回動可能であるが、最下方位置でロック可能状態に復帰させて使用範囲Ａでは上方回動のみ自在となるように構成する。
【０００９】
シャフト７の外周にはアームレストフレーム８に固定のカラー１０を設け、カラー１０の外周にはロック装置Ｌの一部を構成するロックスプリング１１のコイル部１２を嵌合させ、ロックスプリング１１の一端は背凭ブラケット６に固定のバネ取付用ブラケット１３の係合孔１４に係合させて固定側端部１５に形成し、ロックスプリング１１の他端は自由端２０に形成する。
【００１０】
この場合、コイル部１２は、アームレスト４の下動に伴ってカラー１０が回転すると、締まる巻き方向に設定し、これにより、他端が自由端２０であってもアームレスト４を下方回動させようとすると、カラー１０とコイル部１２の内周との摩擦抵抗によりコイル部１２の直径を小にする方向に作用し、この摩擦抵抗によりアームレスト４の下方回動を阻止してロックさせる。
【００１１】
しかして、バネ取付用ブラケット１３には前記ロック装置Ｌの自由端２０をアンロック位置に保持するアンロック用カム面２２と該アンロック用カム面２２への係合を案内する案内カム面２３とを有する切替カム溝２４を形成する。
切替カム溝２４は、バネ取付用ブラケット１３のカラー１０と略平行に屈曲させた屈曲板部２５に、基本的にはカラー１０の軸心方向（左右方向）と平行に屈曲板部２５の先端側（左側）を開放したＵ型形状に形成する。
【００１２】
実施例では、屈曲板部２５はバネ取付用ブラケット１３の下側に形成し、図５、図７、図９、図１１、図１３、図１５、図１７、図１８は、下側から見た状態で図示しているが、屈曲板部２５の設置位置は図示に限定されない。
【００１３】
切替カム溝２４のアームレスト４の下方回動方向側（後側）にはカラー１０の軸心方向と略平行に前記アンロック用カム面２２を形成し、切替カム溝２４のアームレスト４の上方回動方向側（前側）には切替カム溝２４の開口方向（左方向）に至るに従いアンロック用カム面２２（後側）に近づくように傾斜させて案内カム面２３を形成する。
【００１４】
案内カム面２３の先端とアンロック用カム面２２の外端縁との間には自由端２０が通り抜け可能な隙間２６を設ける。
アンロック用カム面２２に続く屈曲板部２５は、後側に至るに従い屈曲板部２５の基部側（右側）に近づく傾斜面２７に形成している。
【００１５】
一方、シャフト７およびカラー１０には、アームレスト４の回動により移動する自由端２０が当接する当接部材３０を設ける。当接部材３０は、カラー１０に対して交差方向の板部材３１をカラー１０の端部に固定し、板部材３１には、切替カム溝２４に自由端２０を嵌合させるアンロック用当接部３２を設ける。アンロック用当接部３２はロック状態の自由端２０に当接し、自由端２０をコイル部１２の緩み方向に移動させ、アンロック用当接部３２により押された自由端２０は案内カム面２３により案内されて切替カム溝２４に嵌合する。
【００１６】
アンロック用当接部３２の端縁はアンロック用カム面２２の端縁と一致させ、アンロック用当接部３２の端縁まで自由端２０が案内カム面２３により案内されて移動すると、自由端２０はアンロック用当接部３２から外れて自由端２０それ自体の弾力によりアンロック用カム面２２に当接する。
【００１７】
板部材３１のアンロック用当接部３２の後側の周縁は、アンロック用当接部３２の端縁と同一面のアンロック保持面３３に形成する。自由端２０はアンロック用カム面２２に当接してコイル部１２の直径を拡大させてアンロック状態にしているから、本来、アンロック用カム面２２から自由端２０は外れないが、アンロック用カム面２２の端縁の側方にアンロック保持面３３を位置させることで、アンロック状態を保持する。また、アンロック用当接部３２を使用範囲Ａの上限位置と格納範囲Ｂの間にアームレスト４が位置するように配置すると、格納範囲Ｂの上限までアームレスト４を上動させなくても、アンロック状態にしてアームレスト４の下方回動が可能になって、操作性が著しく向上する。
【００１８】
また、アンロック保持面３３に続く板部材３１の後側周縁には交差方向の外れ防止面３４を設ける。外れ防止面３４は、切替カム溝２４および板部材３１の周縁の何れもから自由端２０が外れて作動不能状態になるのを防止する。
即ち、外れ防止面３４を設けないと、自由端２０が切替カム溝２４に係合し、しかも、アンロック保持面３３に当接状態で、格納位置より過剰回動が可能になり、アームレスト４が元の位置に戻らないメカロック状態になるが、外れ防止面３４によりアームレスト４の過剰回動を停止させ、メカロックを防止する。
【００１９】
この場合、アームレスト４がアームレスト４として本来使用される使用範囲Ａの上限位置までアームレスト４を上方回動させたとき自由端２０が切替カム溝２４に嵌合するように設定し、使用範囲Ａを越えた格納範囲Ｂでは常時自由端２０は切替カム溝２４に嵌合させてアンロック保持面３３により保持させる。
【００２０】
しかして、板部材３１の前側部分には前記切替カム溝２４のアンロック用カム面２２に係合している自由端２０をアンロック用カム面２２から離脱させて自由端２０を自由状態に復帰させるアンロック解除部３７を設ける。アンロック解除部３７は板部材３１の前端部をバネ取付用ブラケット１３に向けて屈曲させ屈曲部３８を形成し、屈曲部３８の先端より基部に至るに従い前側（上方回動方向側）に傾斜する傾斜解除面３９を形成し、傾斜解除面３９はアンロック用カム面２２の端縁より外側にまで位置させ、アンロック用カム面２２と当接部材３０とが相対的に移動することで自由端２０がアンロック解除部３７の傾斜解除面３９に案内されてアンロック用カム面２２（切替カム溝２４）より離脱させ、アンロック状態をロック可能状態にさせる。
【００２１】
【作用】
次に作用を述べる。
アームレスト４は略水平位置を含む使用範囲Ａで使用状態となり、使用範囲Ａでは一旦最下方位置にアームレスト４を下方回動させると、ロック装置Ｌは作動状態となって、上方回動はできるが下方回動はロックして荷重を支持する。
【００２２】
したがって、一旦使用範囲Ａの最下方位置にアームレスト４を下方回動させてから、必要に応じてアームレスト４を上方回動させて、アームレスト４の高さ調節を行う。
【００２３】
次に、使用範囲Ａの最上位置までアームレスト４を上方回動させると、この位置がアームレスト４の下方回動をロックして荷重を支持する上側の限界位置であり、これを一旦越えると、格納範囲Ｂとなり、格納範囲Ｂでは上下何れの方向にもアンロック状態となる。
【００２４】
しかして、格納位置から使用状態にするには、前記のように、使用範囲Ａの一旦最下方位置にまでアームレスト４を下方回動させ、ロック装置Ｌを作動状態すればよく、その後は、前記の作動（操作）の反復となる。
【００２５】
しかして、ロック装置Ｌの作動を具体的に説明すると、背凭骨格フレーム５のブラケット６に左右方向のカラー１０の基部を固定し、カラー１０の外周にロックスプリング１１のコイル部１２を嵌合させ、ロックスプリング１１の一端をバネ取付用ブラケット１３に設けた係合孔１４に係合させ、ロックスプリング１１の他端は自由端２０に形成し、コイル部１２はアームレスト４の上方回動に伴ってカラー１０が回転すると緩むように巻き方向を設定しているから、使用範囲Ａではアームレスト４を下方回動させようとすると、カラー１０の回転によりコイル部１２の内周とカラー１０の外周の摩擦抵抗が発生し、この抵抗によりコイル部１２の直径を小にするように作用し、この抵抗でアームレスト４の下方回動を阻止してロックさせる。
【００２６】
したがって、アームレスト４を上方回動させる高さ調節は自在であり、アームレスト４に掛かる荷重は下方回動を規制してロックする。
【００２７】
しかして、使用範囲Ａの最上位置までアームレスト４を上方回動させると、自由端２０にアームレスト４と共に回動する当接部材３０の板部材３１の後側のアンロック用当接部３２が当接し、アンロック用当接部３２は自由端２０を前側（緩み方向）に移動させる。
【００２８】
そのため、自由端２０はアンロック用当接部３２に押されてバネ取付用ブラケット１３の案内カム面２３に当接し、更にアンロック用当接部３２により押された自由端２０は案内カム面２３により弾力に抗して切替カム溝２４の内側に移動し、自由端２０はアンロック用当接部３２の端縁まで移動するとアンロック用当接部３２から外れ、自由端２０それ自体の弾力でアンロック用カム面２２に向かって移動して当接し、自由端２０が切替カム溝２４に嵌合すると、ロックスプリング１１の固定側端部１５および自由端２０は何れも不動状態になって、コイル部１２の直径は変化せず、ロック装置Ｌはアンロック状態となって、アームレスト４は上下何れの方向でも回動自在となる（勿論上方回動も自由）。
【００２９】
したがって、自由端２０が切替カム溝２４に嵌合する位置は、アームレスト４がアームレスト４として本来使用される使用範囲Ａの上限位置に設定しているから、使用範囲Ａを越えた格納範囲Ｂになると、常時自由端２０は切替カム溝２４に嵌合してアンロック状態となる。
【００３０】
この場合、板部材３１のアンロック用当接部３２の後側の周縁は、アンロック用当接部３２の端縁と同一面のアンロック保持面３３に形成しているから、アンロック用当接部３２を使用範囲Ａの上限位置と格納範囲Ｂの間にアームレスト４が位置するように配置すると、格納範囲Ｂの上限までアームレスト４を上動させなくても、アンロック状態にしてアームレスト４の下方回動が可能になって、アームレスト４の回動範囲を広げつつ、操作性を低下させない。
【００３１】
また、アンロック保持面３３に続く板部材３１の後側周縁には交差方向の外れ防止面３４を設けているから、格納位置より過剰回動を停止させるストッパ作用と、自由端２０が当接部材３０の周縁から外れて、メカロック状態になるのを防止する。
【００３２】
しかして、アームレストフレーム８にはカラー１０を固定し、カラー１０には当接部材３０を固定し、当接部材３０には切替カム溝２４に嵌合している自由端２０を離脱させて自由状態に復帰させるアンロック解除部３７を設けているから、一旦ロック装置Ｌをアンロック状態にして、使用範囲Ａの最下方位置にまでアームレスト４を下方回動させると、アンロック解除部３７の傾斜解除面３９が自由端２０に当たり、傾斜解除面３９により自由端２０はアンロック用カム面２２に当たりながらカラー１０の軸方向に移動し、アンロック用カム面２２の端縁を過ぎると、自由端２０の弾力で隙間２６を通って切替カム溝２４から離脱し、ロック装置Ｌは作動状態となり、アームレスト４の下方回動をロックする。
【００３３】
この場合、アンロック用カム面２２は切替カム溝２４内の後部にカラー１０の軸心方向に対して交差方向の面形状に形成し、自由端２０はコイル部１２が緩むようにアンロック用カム面２２で押されているから、アンロック用カム面２２の端縁を過ぎると、自由端２０の弾力で隙間２６を通って切替カム溝２４から離脱し、これにより、コイル部１２の直径は元の小径状態に復帰し、ロック装置Ｌの作動状態となり、アームレスト４の下方回動をロックする。
【００３４】
以上のように、切替カム溝２４に自由端２０を継脱させる構成は、切替カム溝２４の形状と、自由端２０に当接する当接部材３０を設ければよいので、作動が確実で安価にできる。
【００３５】
また、アンロック用当接部３２と傾斜解除面３９との位置（距離）を変更した当接部材３０に交換するだけで、使用範囲Ａと格納範囲Ｂの設定変更可能となる。
【００３６】
【効果】
本発明は、シート１の背凭シート３の側部に、横方向のカラー１０の外周にロックスプリング１１のコイル部１２を嵌合させ、コイル部１２とカラー１０との摩擦により高さ調節自在にするロック装置Ｌを設けたアームレストにおいて、ロック装置Ｌは、コイル部１２の一端の固定側端部１５は背凭ブラケット６側に固定し、コイル部１２の他端である自由端２０は背凭ブラケット６側に設けた切替カム溝２４に継脱自在とし、切替カム溝２４はコイル部１２の直径を変化させずにアンロック状態とするアンロック用カム面２２および該アンロック用カム面２２に自由端２０を案内する案内カム面２３を夫々形成し、前記カラー１０には、自由端２０の移動を停止させて切替カム溝２４に嵌合させるアンロック用当接部３２と、アンロック用カム面２２に当接している自由端２０を軸方向に移動させて切替カム溝２４より離脱させるアンロック解除部３７との夫々を設けた当接部材３０を設けて構成したアームレストの高さ調節装置としたものであるから、従来のようにロック装置を直接操作する操作部材を省略してコストを低くし、また、ラッチとラチェットの組合せようなアームレストの回動ストロークの始端あるいは終端の何れかでラチェットを解除させることもなく、狭い車内でも操作を容易にし、また、先行技術に比して、切替カム溝２４にアンロック用カム面２２と案内カム面２３を形成したので、構成が簡素で、作動の確実性を向上させ、しかも、コストを低くできる。
【００３７】
本発明は、シート１の背凭シート３の側部に、横方向のシャフト７によりアームレスト４を回動自在に設け、前記シャフト７の外周に設けたカラー１０を前記アームレスト４のアームレストフレーム８に固定し、カラー１０と背凭シート３の背凭ブラケット６との間には、アームレスト４の使用範囲Ａではアームレスト４の下方回動はロックし且つ上方回動のみ自在にして高さ調節可能にし、前記使用範囲Ａの上限位置と同じかそれより越えた位置の所定の格納範囲Ｂではアンロック状態になって上下回動自在とし、前記格納範囲Ｂから前記使用範囲Ａの最下方位置まで下方回動させると、下方回動のロック可能状態に復帰させるロック装置Ｌを設け、該ロック装置Ｌは、前記カラー１０の外周にロックスプリング１１の巻き方向をアームレスト４を下方回動させると直径が小になるようにしたコイル部１２を嵌合させ、コイル部１２の一端である固定側端部１５は背凭ブラケット６側に形成し、コイル部１２の他端である自由端２０は背凭ブラケット６側に設けた切替カム溝２４に継脱自在とし、自由端２０が切替カム溝２４に嵌合するとコイル部１２の直径を変化させずにアンロック状態とし、切替カム溝２４から離脱すると、前記コイル部１２の径を小さくしてロック状態とするように構成し、前記切替カム溝２４は背凭ブラケット６側にカラー１０の軸心方向と略平行の略Ｕ型形状に形成し、切替カム溝２４には、前記自由端２０が弾力的に当接して係合するアンロック用カム面２２および該アンロック用カム面２２に自由端２０が弾力的に当接するように切替カム溝２４に案内する案内カム面２３を夫々形成し、案内カム面２３の先端とアンロック用カム面２２の外端縁との間には自由端２０が通り抜け可能な隙間２６を設け、前記カラー１０には、自由端２０をコイル部１２の径拡大方向に移動させて切替カム溝２４に嵌合させるアンロック用当接部３２と、アンロック用カム面２２に弾力的に当接している自由端２０を軸方向に移動させて切替カム溝２４より離脱させるアンロック解除部３７との夫々を設けた当接部材３０を設けて構成したアームレストの高さ調節装置としたものであるから、先行技術に比して、切替カム溝２４にアンロック用カム面２２と案内カム面２３を形成したので、構成が簡素で、各構成部品の公差の集積が少なくロック開始および解除の位置ずれが少ない。
【００３８】
本発明は、前記アンロック用カム面２２は切替カム溝２４内のアームレスト４の下方回動方向側にカラー１０の軸心方向と略平行な面形状に形成し、前記案内カム面２３はアームレスト４の上方回動方向側の切替カム溝２４に先端に至るに従い切替カム溝２４の開口方向側であってアンロック用カム面２２に近づくように傾斜させて形成したアームレストの高さ調節装置としたものであるから、Ｕ型形状の切替カム溝２４にアンロック用カム面２２と案内カム面２３を形成しているので、切替カム溝２４の変形が少なく、耐久性を向上させる。
【００３９】
本発明は、前記当接部材３０のアンロック用当接部３２の後側の周縁は、アンロック用当接部３２の端縁と同一面のアンロック保持面３３に形成し、アンロック保持面３３に続く板部材３１の後側周縁には交差方向の外れ防止面３４を設けたアームレストの高さ調節装置としたものであるから、アンロック用当接部３２までアームレスト４を上動させれば、アンロック状態にしてアームレスト４の下方回動が可能になり、アンロック保持面３３をもうけているので、アームレスト４の回動範囲を広げつつ、操作性を低下させない。
また、アンロック保持面３３に続く板部材３１の後側周縁には交差方向の外れ防止面３４を設けているから、格納位置より過剰回動を停止させるストッパ作用と、自由端２０が当接部材３０の周縁から外れて、メカロック状態になるのを防止する。
なお、前述した実施例は理解を容易にするため個別具体的に記載しているが、何れの記載表現等からも明示的でないという理由をもって、構成、作用等の要件を取捨選択するに当たり、限定されない。
【図面の簡単な説明】
【図１】シートの側面図。
【図２】ロック装置の分解斜視図。
【図３】同一部拡大分解斜視図。
【図４】アームレストと背凭骨格フレームの位置関係を示す側面図。
【図５】図４のロック装置の斜視図。
【図６】アームレストと背凭骨格フレームの位置関係を示す側面図。
【図７】図６のロック装置の斜視図。
【図８】アームレストと背凭骨格フレームの位置関係を示す側面図。
【図９】図８のロック装置の斜視図。
【図１０】アームレストと背凭骨格フレームの位置関係を示す側面図。
【図１１】図１０のロック装置の斜視図。
【図１２】アームレストと背凭骨格フレームの位置関係を示す側面図。
【図１３】図１２のロック装置の斜視図。
【図１４】アームレストと背凭骨格フレームの位置関係を示す側面図。
【図１５】図１４のロック装置の斜視図。
【図１６】アームレストと背凭骨格フレームの位置関係を示す側面図。
【図１７】図１６のロック装置の斜視図。
【図１８】切替カム溝と当接部材の位置関係図。
【符号の説明】
１…シート、２…座席シート、３…背凭シート、４…アームレスト、５…背凭骨格フレーム、６…背凭ブラケット、７…シャフト、８…アームレストフレーム、１０…カラー、１１…ロックスプリング、１２…コイル部、１３…バネ取付用ブラケット、１４…係合孔、１５…固定側端部、２０…自由端、２２…アンロック用カム面、２３…案内カム面、２４…切替カム溝、２５…屈曲板部、２６…隙間、２７…傾斜面、３０…当接部材、３１…板部材、３２…アンロック用当接部、３３…アンロック保持面、３４…外れ防止面、３７…アンロック解除部、３８…屈曲部、３９…傾斜解除面。
【図１】
2004208721.tif 000003
【図２】
2004208721.tif 000004
【図３】
2004208721.tif 000005
【図４】
2004208721.tif 000006
【図５】
2004208721.tif 000007
【図６】
2004208721.tif 000008
【図７】
2004208721.tif 000009
【図８】
2004208721.tif 000010
【図９】
2004208721.tif 000011
【図１０】
2004208721.tif 000012
【図１１】
2004208721.tif 000013
【図１２】
2004208721.tif 000014
【図１３】
2004208721.tif 000015
【図１４】
2004208721.tif 000016
【図１５】
2004208721.tif 000017
【図１６】
2004208721.tif 000018
【図１７】
2004208721.tif 000019
【図１８】
2004208721.tif 000020